(57)【要約】【課題】移動通信システムにおける端末間通信技術において、基地局間（セル間）が非同期であっても、ユーザ装置が効率的に発見信号の送受信を行うことを可能ならしめる技術を提供する。【解決手段】所定の無線リソースから発見リソースを選択し、当該発見リソースを用いて発見信号を送信するユーザ装置において、複数の基地局から、発見信号を送信可能な無線リソースを示す無線リソース情報を受信する手段と、前記複数の基地局から受信した複数の無線リソース情報に基づいて、当該複数の基地局間での発見信号を送信可能な無線リソースの共通領域を検出する手段と、前記共通領域の無線リソースから発見リソースを選択し、当該発見リソースを用いて発見信号を送信する手段とを備える。【選択図】図６
2014229998.tif 000002
【特許請求の範囲】
【請求項１】
所定の無線リソースから発見リソースを選択し、当該発見リソースを用いて発見信号を送信するユーザ装置であって、
複数の基地局から、発見信号を送信可能な無線リソースを示す無線リソース情報を受信する手段と、
前記複数の基地局から受信した複数の無線リソース情報に基づいて、当該複数の基地局間での発見信号を送信可能な無線リソースの共通領域を検出する手段と、
前記共通領域の無線リソースから発見リソースを選択し、当該発見リソースを用いて発見信号を送信する手段と
を備えることを特徴とするユーザ装置。
【請求項２】
所定の無線リソースから発見信号を検出するユーザ装置であって、
複数の基地局から、発見信号を検出すべき無線リソースを示す無線リソース情報を受信する手段と、
前記複数の基地局から受信した複数の無線リソース情報に基づいて、当該複数の基地局間での発見信号を検出すべき無線リソースの共通領域又は論理和領域を検出する手段と、
前記共通領域又は論理和領域の無線リソースから発見信号を検出する手段と
を備えることを特徴とするユーザ装置。
【請求項３】
所定の無線リソースから発見リソースを選択し、当該発見リソースを用いて発見信号を送信するユーザ装置と通信する基地局であって、
前記基地局により構成されるセルにおいて発見信号を送信可能な無線リソースを決定する手段と、
他の基地局から、当該他の基地局により構成されるセルにおいて発見信号を送信可能な無線リソースを示す情報を受信する手段と、
前記基地局により構成されるセルにおいて発見信号を送信可能な無線リソースと、前記他の基地局により構成されるセルにおいて発見信号を送信可能な無線リソースとの共通領域を検出する手段と、
前記共通領域の無線リソースを示す情報を前記ユーザ装置に送信する手段と
を備えることを特徴とする基地局。
【請求項４】
前記基地局により構成されるセルにおいて発見信号を送信可能な無線リソースとして、当該セルにおけるＭＢＳＦＮ用のサブフレームを選択する
ことを特徴とする請求項３に記載の基地局。
【請求項５】
所定の無線リソースから発見信号を検出するユーザ装置と通信する基地局であって、
前記基地局により構成されるセルにおいて発見信号を検出すべき無線リソースを決定する手段と、
他の基地局から、当該他の基地局により構成されるセルにおいて発見信号を検出すべき無線リソースを示す情報を受信する手段と、
前記基地局により構成されるセルにおいて発見信号を検出すべき無線リソースと、前記他の基地局により構成されるセルにおいて発見信号を検出すべき無線リソースとの共通領域又は論理和領域を検出する手段と、
前記共通領域又は前記論理和領域の無線リソースを示す情報を前記ユーザ装置に送信する手段と
を備えることを特徴とする基地局。
【請求項６】
前記基地局により構成されるセルにおいて発見信号を検出すべき無線リソースとして、当該セルにおけるＭＢＳＦＮ用のサブフレームを選択する
ことを特徴とする請求項５に記載の基地局。
【請求項７】
所定の無線リソースから発見リソースを選択し、当該発見リソースを用いて発見信号を送信するユーザ装置が実行する無線リソース選択方法であって、
複数の基地局から、発見信号を送信可能な無線リソースを示す無線リソース情報を受信するステップと、
前記複数の基地局から受信した複数の無線リソース情報に基づいて、当該複数の基地局間での発見信号を送信可能な無線リソースの共通領域を検出するステップと、
前記共通領域の無線リソースから発見リソースを選択し、当該発見リソースを用いて発見信号を送信するステップと
を備えることを特徴とする無線リソース選択方法。
【請求項８】
所定の無線リソースから発見信号を検出するユーザ装置が実行する無線リソース選択方法であって、
複数の基地局から、発見信号を検出すべき無線リソースを示す無線リソース情報を受信するステップと、
前記複数の基地局から受信した複数の無線リソース情報に基づいて、当該複数の基地局間での発見信号を検出すべき無線リソースの共通領域又は論理和領域を検出するステップと、
前記共通領域又は論理和領域の無線リソースから発見信号を検出するステップと
を備えることを特徴とする無線リソース選択方法。
【請求項９】
所定の無線リソースから発見リソースを選択し、当該発見リソースを用いて発見信号を送信するユーザ装置と通信する基地局が実行する無線リソース通知方法であって、
前記基地局により構成されるセルにおいて発見信号を送信可能な無線リソースを決定するステップと、
他の基地局から、当該他の基地局において発見信号を送信可能な無線リソースを示す情報を受信するステップと、
前記基地局により構成されるセルにおいて発見信号を送信可能な無線リソースと、前記他の基地局により構成されるセルにおいて発見信号を送信可能な無線リソースとの共通領域を検出するステップと、
前記共通領域の無線リソースを示す情報を前記ユーザ装置に送信するステップと
を備えることを特徴とする無線リソース通知方法。
【請求項１０】
所定の無線リソースから発見信号を検出するユーザ装置と通信する基地局が実行する無線リソース通知方法であって、
前記基地局により構成されるセルにおいて発見信号を検出すべき無線リソースを決定するステップと、
他の基地局から、当該他の基地局により構成されるセルにおいて発見信号を検出すべき無線リソースを示す情報を受信するステップと、
前記基地局により構成されるセルにおいて発見信号を検出すべき無線リソースと、前記他の基地局により構成されるセルにおいて発見信号を検出すべき無線リソースとの共通領域又は論理和領域を検出するステップと、
前記共通領域又は前記論理和領域の無線リソースを示す情報を前記ユーザ装置に送信するステップと
を備えることを特徴とする無線リソース通知方法。
【発明の詳細な説明】
【技術分野】
【０００１】
本発明は、端末間通信（Ｄ２Ｄ通信）に関するものであり、特に、端末間通信において、発見信号を送信もしくは検出する無線リソースを割り当てる技術に関連するものである。
【背景技術】
【０００２】
移動体通信では、端末（以下、ユーザ装置ＵＥと呼ぶ）と基地局ｅＮＢが通信を行うことによりユーザ装置ＵＥ間で通信を行うことが一般的であるが、近年、ユーザ装置ＵＥ間で直接に通信を行うことについての種々の技術が検討されている。
【０００３】
ユーザ装置ＵＥ間で通信を行う際に、一方のユーザ装置ＵＥは、近隣の他方のユーザ装置ＵＥを発見することが必要である。ユーザ装置ＵＥを発見する手法として、各ユーザ装置ＵＥが、自身のＩＤ（識別情報）を含む発見信号（ｄｉｓｃｏｖｅｒｙ  ｓｉｇｎａｌ）を送信（ブロードキャスト）する手法がある。
【０００４】
図１は、発見信号を送信するためのリソースの一例を示す図である。図１の例では、発見信号の送受信を行うことでユーザ装置ＵＥの発見（被発見）を行う発見期間（ｄｉｓｃｏｖｅｒｙ  ｐｅｒｉｏｄ）が周期的に訪れるように定めてあり、各発見期間において所定数個の発見信号送信（及び受信）のためのリソース（時間−周波数リソースであり、発見リソースと呼ぶ）が定められている。各ユーザ装置ＵＥは、発見期間において発見リソースを用いて発見信号の送受信を行う。
【０００５】
例えば、図２のユーザ装置ＵＥ１は、図１のＵＥ１で示される発見リソースを用いて発見信号を送信し、図２のユーザ装置ＵＥ２は、図１のＵＥ２で示される発見リソースを用いて発見信号を送信する。
【０００６】
図２におけるユーザ装置ＵＥ３は、ユーザ装置ＵＥ１が送信した発見信号を受信することでユーザ装置ＵＥ１を発見し、ユーザ装置ＵＥ４は、ユーザ装置ＵＥ２が送信した発見信号を受信することでユーザ装置ＵＥ２を発見する。なお、端末間通信に関する先行技術文献として特許文献１がある。
【先行技術文献】
【特許文献】
【０００７】
【特許文献１】特開２０１２−２０９８９３号公報
【発明の概要】
【発明が解決しようとする課題】
【０００８】
ユーザ装置ＵＥが発見信号の送受信を行うＤ２Ｄ方式において、従来技術では、図１に示した発見期間のように発見信号の送受信に用いる無線リソースとして、移動通信システムにおいて予め決められた無線リソースを使用する。
【０００９】
ここで、端末間通信を行う複数ユーザ装置ＵＥは、それぞれ異なる基地局ｅＮＢにより構成される複数セルに在圏している場合がある。このような場合でも、基地局ｅＮＢ間の同期が取れており、予め決められた無線リソースが全てのセルで同一の時刻に到来するのであれば、複数ユーザ装置ＵＥは、当該無線リソースにおいて発見信号の送受信を行うことができる。しかし、一般的には、移動通信システムにおける複数基地局ｅＮＢ間は同期がとれているわけではない。
【００１０】
例えば、図３（ａ）に示すように、基地局ｅＮＢ−Ａにより構成されるセルＡにユーザ装置ＵＥ１が在圏し、基地局ｅＮＢ−Ｂにより構成されるセルＢにユーザ装置ＵＥ２が在圏し、ユーザ装置ＵＥ１がユーザ装置ＵＥ２に発見信号を送信し、ユーザ装置ＵＥ２がユーザ装置ＵＥ１を発見する動作を行うことを想定する。
【００１１】
ここで、基地局ｅＮＢ−Ａと基地局ｅＮＢ−Ｂにおいて同じ無線リソースが発見期間として決められていたとしても、基地局ｅＮＢ−Ａと基地局ｅＮＢ−Ｂ間では同期がとれていない場合、例えば図３（ｂ）に示すように、セルＡでは、期間Ｃが発見期間になり、セルＢでは期間Ｄが発見期間になる。
【００１２】
セルＡのユーザ装置ＵＥ１は、期間Ｃの中のいずれかの発見リソースを用いて発見信号を送信するが、セルＢのユーザ装置ＵＥ２は期間Ｄにおいて発見信号を期待する動作を行うので、ユーザ装置ＵＥ１から送信された発見信号を検出できない。
【００１３】
このような問題に対処するために、受信動作を行う際には、基地局ｅＮＢ間での同期のずれを想定して、ユーザ装置ＵＥ２は、例えば、図３（ｂ）のＥに示す期間で発見信号を検出する動作を行うことが考えられる。
【００１４】
しかし、上記のような動作を行う場合、基地局ｅＮＢからの信号を受信する無線リソースが削減されてしまうとともに、ユーザ装置ＵＥは無駄な受信動作を行う時間が増加して、電力消費が増加してしまうという問題がある。
【００１５】
本発明は上記の点に鑑みてなされたものであり、移動通信システムにおける端末間通信技術において、基地局間（セル間）が非同期であっても、ユーザ装置が効率的に発見信号の送受信を行うことを可能ならしめる技術を提供することを目的とする。
【課題を解決するための手段】
【００１６】
上記の課題を解決するために、本発明の実施の形態によれば、所定の無線リソースから発見リソースを選択し、当該発見リソースを用いて発見信号を送信するユーザ装置であって、
複数の基地局から、発見信号を送信可能な無線リソースを示す無線リソース情報を受信する手段と、
前記複数の基地局から受信した複数の無線リソース情報に基づいて、当該複数の基地局間での発見信号を送信可能な無線リソースの共通領域を検出する手段と、
前記共通領域の無線リソースから発見リソースを選択し、当該発見リソースを用いて発見信号を送信する手段とを備えることを特徴とするユーザ装置が提供される。
【００１７】
また、本発明の実施の形態によれば、所定の無線リソースから発見信号を検出するユーザ装置であって、
複数の基地局から、発見信号を検出すべき無線リソースを示す無線リソース情報を受信する手段と、
前記複数の基地局から受信した複数の無線リソース情報に基づいて、当該複数の基地局間での発見信号を検出すべき無線リソースの共通領域又は論理和領域を検出する手段と、
前記共通領域又は論理和領域の無線リソースから発見信号を検出する手段とを備えることを特徴とするユーザ装置が提供される。
【００１８】
また、本発明の実施の形態によれば、所定の無線リソースから発見リソースを選択し、当該発見リソースを用いて発見信号を送信するユーザ装置と通信する基地局であって、
前記基地局により構成されるセルにおいて発見信号を送信可能な無線リソースを決定する手段と、
他の基地局から、当該他の基地局により構成されるセルにおいて発見信号を送信可能な無線リソースを示す情報を受信する手段と、
前記基地局により構成されるセルにおいて発見信号を送信可能な無線リソースと、前記他の基地局により構成されるセルにおいて発見信号を送信可能な無線リソースとの共通領域を検出する手段と、
前記共通領域の無線リソースを示す情報を前記ユーザ装置に送信する手段とを備えることを特徴とする基地局が提供される。
【００１９】
また、本発明の実施の形態によれば、所定の無線リソースから発見信号を検出するユーザ装置と通信する基地局であって、
前記基地局により構成されるセルにおいて発見信号を検出すべき無線リソースを決定する手段と、
他の基地局から、当該他の基地局により構成されるセルにおいて発見信号を検出すべき無線リソースを示す情報を受信する手段と、
前記基地局により構成されるセルにおいて発見信号を検出すべき無線リソースと、前記他の基地局により構成されるセルにおいて発見信号を検出すべき無線リソースとの共通領域又は論理和領域を検出する手段と、
前記共通領域又は前記論理和領域の無線リソースを示す情報を前記ユーザ装置に送信する手段とを備えることを特徴とする基地局が提供される。
【発明の効果】
【００２０】
本発明の実施の形態によれば、移動通信システムにおける端末間通信技術において、基地局間（セル間）が非同期であっても、無駄な発見信号の検出動作を行うことを抑制し、ユーザ装置が効率的に発見信号の送受信を行うことが可能になる。
【図面の簡単な説明】
【００２１】
【図１】発見信号を送信するためのリソースの一例を示す図である。
【図２】Ｄ２Ｄ通信を説明するための図である。
【図３】課題を説明するための図である。
【図４】本発明の実施の形態における通信システムの構成例を示す図である。
【図５】本発明の実施の形態における処理概要を説明するための図である。
【図６】本発明の第１の実施の形態における処理概要を説明するための図である。
【図７】ＭＢＳＦＮ用のサブフレームの領域を発見信号送信可能な無線リソースとして決定する例を示す図である。
【図８】共通領域判定処理例を説明するための図である。
【図９】共通領域判定処理例を説明するための図である。
【図１０】時間−周波数リソースを発見信号送信可能無線リソースとして割り当てる例を示す図である。
【図１１】変形例の概要を示す図である。
【図１２】変形例における共通領域判定処理例を説明するための図である。
【図１３】本発明の第１の実施の形態におけるユーザ装置ＵＥの機能構成図である。
【図１４】本発明の第１の実施の形態における基地局ｅＮＢの機能構成図である。
【図１５】本発明の第２の実施の形態における処理概要を説明するための図である。
【図１６】ＭＢＳＦＮ用のサブフレームの領域を発見信号を検出させる無線リソースとして決定する例を示す図である。
【図１７】共通領域判定処理例を説明するための図である。
【図１８】本発明の第２の実施の形態におけるユーザ装置ＵＥの機能構成図である。
【図１９】本発明の第２の実施の形態における基地局ｅＮＢの機能構成図である。
【発明を実施するための形態】
【００２２】
以下、図面を参照して本発明の実施の形態を説明する。なお、以下で説明する実施の形態は一例に過ぎず、本発明が適用される実施の形態は、以下の実施の形態に限られるわけではない。
【００２３】
（第１の実施の形態：発見信号送信のための無線リソースをＮＷからＵＥに通知）
＜基本例＞
図４は、本実施の形態における通信システムの構成例を示す図である。図４に示すように、本実施の形態における通信システムは、基地局ｅＮＢの配下に複数のユーザ装置ＵＥが存在するセルラー通信システムである。本実施の形態では、当該セルラー通信システムは、ＬＴＥに準拠したものを想定しているが、本発明を適用できる通信システムの方式はＬＴＥに限られるわけではない。本発明は通信システムの方式に拠らずに様々な通信システムに適用可能である。
【００２４】
また、図４では、１つの基地局ｅＮＢ及びそのセルを示しているが、図示しない他の１つ又は複数の基地局ｅＮＢも存在し、基地局ｅＮＢのセルに在圏するユーザ装置ＵＥは、当該セル内のユーザ装置ＵＥのみならず、近隣セルに存圏するユーザ装置ＵＥとの間でも発見信号の送受信を行うものとする。
【００２５】
なお、本明細書及び特許請求の範囲において、「ＬＴＥ」は、３ＧＰＰのリリース８、又は９に対応する通信方式のみならず、３ＧＰＰのリリース１０、１１、又は１２もしくはそれ以降に対応する通信方式も含む意味で使用する。以下、本実施の形態における処理内容を説明する。
【００２６】
本実施の形態では、基地局ｅＮＢが、そのセルにおいて発見信号を送信可能な無線リソースの位置を示す情報を制御信号を用いて送信し、制御信号を受信したユーザ装置ＵＥは、制御信号に示される無線リソースの中から発見リソースを選択して発見信号の送信を行うことを基本とする。発見信号を送信可能な無線リソースの位置を示す情報を含む制御信号は、例えば、ＲＲＣシグナリングで送ってもよいし、ＳＩＢ等の報知情報として送信してもよいし、（Ｅ）ＰＤＣＣＨ等のダイナミックなシグナリングで送信してもよい。また、これら以外のシグナリングで送信してもよい。
【００２７】
なお、本実施の形態では、発見信号を送信可能な無線リソースの位置を指定することとしているが、発見信号を送信不可能な（ユーザ装置ＵＥに送信させない）無線リソースの位置を指定することとしてもよい。送信不可能な無線リソースは、例えば、本実施の形態において、送信可能であると決定された無線リソース以外の無線リソースとしてよい。つまり、後述するビットマップ情報における０の部分を送信不可能な無線リソースと解釈してよい。
【００２８】
発見信号を送信可能な無線リソースの位置を示す情報としては、例えば、所定単位の無線リソースの位置毎に０又は１を割り当てたビットマップ情報を用いることができる。
【００２９】
ビットマップ情報を使用する場合の一例を図５、図６を参照して説明する。図５に示すように、本例では、基地局ｅＮＢ−Ａ（セルＡ）に存圏するユーザ装置ＵＥ１が、基地局ｅＮＢ−Ａから、発見信号を送信可能な無線リソースの位置を示す制御信号を受信し、基地局ｅＮＢ−Ｂ（セルＢ）に存圏するユーザ装置ＵＥ２が、基地局ｅＮＢ−Ｂから、発見信号を送信可能な無線リソースの位置を示す制御信号を受信し、それぞれ制御信号により送信可能であると指示された無線リソースの中から発見リソースを選択して発見信号を送信する。
【００３０】
また、本例では、基地局ｅＮＢ−Ａと、それに隣接する基地局ｅＮＢ−Ｂは、例えばＸ２インタフェースにより接続され、通信可能であり、基地局ｅＮＢ−Ａから基地局ｅＮＢ−Ｂへは、基地局ｅＮＢ−Ａにおいて発見信号を送信可能であると決定した無線リソースの位置の情報が送信され、基地局ｅＮＢ−Ｂから基地局ｅＮＢ−Ａへは、基地局ｅＮＢ−Ｂにおいて発見信号を送信可能であると決定した無線リソースの位置の情報が送信される。そして、基地局ｅＮＢ−Ａと基地局ｅＮＢ−Ｂのそれぞれで、基地局ｅＮＢ−Ａにおいて発見信号を送信可能であると決定した無線リソースの位置と、基地局ｅＮＢ−Ｂにおいて発見信号を送信可能であると決定した無線リソースの位置との重なる共通領域（つまり、ＡＮＤ領域）を検出し、当該共通領域の無線リソースの位置を制御信号でユーザ装置ＵＥ１、ＵＥ２に送信する。
【００３１】
図６には、基地局ｅＮＢ−Ａ（基地局ｅＮＢ−Ｂ）からユーザ装置ＵＥ１（ＵＥ２）に送信される制御信号に含まれるビットマップ情報の例が示されている。本例では、発見信号を送信可能なサブフレームに１、送信不可能なサブフレームに０を割り当てたビットマップ情報が基地局ｅＮＢ−Ａ（基地局ｅＮＢ−Ｂ）からユーザ装置ＵＥ１（ＵＥ２）に送信される。
【００３２】
図６に示すように、セルＡとセルＢでは、同期信号の時間位置が異なり、基地局ｅＮＢ−Ａと基地局ｅＮＢ−Ｂとの間は非同期である。ただし、上述したように、基地局ｅＮＢ−Ａと基地局ｅＮＢ−Ｂで発見信号送信可能無線リソース位置の情報交換を行い、そのＡＮＤの情報をユーザ装置ＵＥに通知するので、図６に示すように、セルＡとセルＢとで、同じ時間領域として、発見信号送信可能無線リソースの位置が通知される。
【００３３】
なお、ビットマップにより無線リソースの位置を表現することは一例に過ぎず、他の方法で無線リソースの位置を表現してもよい。
【００３４】
＜発見信号送信可能無線リソースの決定方法＞
以下、基地局ｅＮＢが、発見信号送信可能無線リソースを決定するための方法例を説明する。
【００３５】
（例１）基地局ｅＮＢは、Ｄ２Ｄ通信以外の通常の通信におけるセル運用に支障をきたさない無線リソースの領域を発見信号送信可能な無線リソースとして決定する。
【００３６】
セル運用に支障をきたさない無線リソースの領域として、例えば、同期信号（ＳＳ：Ｓｙｎｃｈｒｏｎｉｚａｔｉｏｎ  ｓｉｇｎａｌ）、及び報知チャネル（ＰＢＣＨ：Ｐｈｙｓｉｃａｌ  ｂｒｏａｄｃａｓｔ  ｃｈａｎｎｅｌ）のいずれもマッピングされない無線リソースの領域を選択する。同期信号（ＳＳ）は、ユーザ装置ＵＥが接続先のセルを探索するセルサーチを行うための信号である。また、報知チャネル（ＰＢＣＨ）には、ユーザ装置ＵＥがセルサーチ後に最初に読むべき最低限の基本情報が含まれる。これらの情報は、ユーザ装置ＵＥが基地局ｅＮＢに接続して種々の制御信号を受信したり、データ通信を行うために必要な情報であるから、基地局ｅＮＢは、少なくともこれらの信号／チャネルを送信するための無線リソース以外の無線リソースを、ユーザ装置ＵＥが発見信号を送信可能な無線リソースとして決定する。
【００３７】
（例２）基地局ｅＮＢは、ＭＢＳＦＮ用のサブフレームの領域を発見信号送信可能な無線リソースとして決定してもよい。図７に、セルＡにおいてＭＢＳＦＮ用のサブフレームの領域を発見信号送信可能な無線リソースとして決定した場合のフレーム構成を示す。図７に示すように、ＭＢＳＦＮ用のサブフレームは、０〜９のサブフレームのうち、サブフレーム０、４、５、９以外のサブフレームにより構成される。サブフレーム０、５は、同期信号と報知チャネルの伝送に用いられ、また、サブフレーム０、４、５、９はページングに使用されるため、ＭＢＳＦＮ用のサブフレームは、サブフレーム０、４、５、９以外のサブフレームにより構成される。
【００３８】
本例において、Ｄ２Ｄ機能を持たないユーザ装置ＵＥに対して、ＳＩＢ等により、ＭＢＳＦＮ用のサブフレームを設定（ｃｏｎｆｉｇｕｒｅ）することとしてもよい。この場合、Ｄ２Ｄ機能を持たないユーザ装置ＵＥは、ＭＢＳＦＮ用のサブフレームにおいては、自分宛のデータを受信しないことを認識しているので、発見信号を受信しても無駄な復調・復号動作を行わせないこととすることができる。なお、ＭＢＳＦＮ用の各サブフレームでは、リファレンス信号とレイヤ１／レイヤ２制御チャネルがサブフレーム先頭の最大２シンボルだけに配置される構成がとられており、ＭＢＳＦＮ用のサブフレームを設定（ｃｏｎｆｉｇｕｒｅ）されても、通常の通信のための品質測定や上りチャネル割り当て等の制御を行うことが可能である。このように、本例において、ＭＢＳＦＮ用のサブフレームを発見信号送信可能な無線リソースとして決定するとともに、Ｄ２Ｄ機能を持たないユーザ装置ＵＥに対して、ＭＢＳＦＮ用のサブフレームを設定（ｃｏｎｆｉｇｕｒｅ）することにより、Ｄ２Ｄ機能を持たないユーザ装置ＵＥは、ＭＢＳＦＮ用のサブフレームの期間において送受信される発見信号を意識する必要がなく、後方互換性を実現できる。
【００３９】
（例３）基地局ｅＮＢは、ユーザ装置ＵＥにおける発見信号以外の信号からの干渉量が低い無線リソースの領域を発見信号送信可能な無線リソースとして決定してもよい。
【００４０】
発見信号以外の信号からの主な干渉は、例えば他セルの信号による干渉である。本例では、基地局ｅＮＢは、Ｘ２インタフェースを介して隣接基地局ｅＮＢから所定の単位の無線リソース毎（例：リソースブロック毎）の干渉に関する情報を受信し、当該情報に基づいて、干渉が小さい無線リソース（干渉量が所定値より小さい無線リソース）を選択して、発見信号送信可能な無線リソースとして決定する。上記の干渉に関する情報として、例えば、ＬＴＥで規定されているＲＮＴＰ（Ｒｅｌａｔｉｖｅ  ｎａｒｒｏｗｂａｎｄ  Ｔｘ  Ｐｏｗｅｒ）、ＨＩＩ（ｈｉｇｈ  ｉｎｔｅｒｆｅｒｅｎｃｅ  ｉｎｄｉｃａｔｉｏｎ）などがある。
【００４１】
ＲＮＴＰは、隣接セルにおいて割り当てられた下りのリソースブロックにおいて、送信電力が大きいか大きくないかをリソースブロック毎に示した情報であり、これにより、基地局ｅＮＢは、隣接セルにおいて大きな電力で送信する可能性のあるリソースブロック、つまり、干渉となるリソースブロックを知ることができる。ＨＩＩは、隣接基地局がセル端ユーザに割り当てた上りリンクのリソースブロックの情報であり、これにより、基地局ｅＮＢは、干渉となるリソースブロックを知ることができる。
【００４２】
なお、上述したＲＮＴＰ、ＨＩＩは一例にすぎず、干渉に関する情報としては上記以外の情報を用いてもよい。例えば、基地局ｅＮＢが、隣接する基地局ｅＮＢや、隣接セルのユーザ装置ＵＥから受信する信号から所定単位の無線リソース毎の干渉量を推定し、干渉に関する情報を求めてもよい。
【００４３】
上記のように、干渉量が少ない無線リソースを選択することにより、Ｄ２Ｄにおける端末間検出確率を増大させることが可能である。
【００４４】
以上、基地局ｅＮＢが、発見信号送信可能無線リソースを決定するための方法の例として例１〜例３を説明したが、発見信号送信可能無線リソースを決定するための方法は例１〜例３に限られない。
【００４５】
また、例１〜例３のうちの２つ又は３つを組み合わせて用いることとしてもよい。例えば、例２によるＭＢＳＦＮ用のサブフレームの中で、例１の判断で、ユーザ装置ＵＥによる発見信号送信に使用しないと決定したサブフレームを除いたものを発見信号送信可能無線リソースとして決定することができる。また、このようにして決定した無線リソースの中で、干渉量が所定値以下の無線リソースのみを発見信号送信可能無線リソースとして決定してもよい。
【００４６】
＜基地局ｅＮＢ間の調整＞
前述したように、基地局ｅＮＢは、決定した発見信号送信可能無線リソースを示す情報を隣接基地局ｅＮＢに通知するとともに、隣接基地局ｅＮＢから発見信号送信可能無線リソースを示す情報を受信する。当該基地局ｅＮＢは、これらの無線リソースのうちの重複する部分（共通領域）を、配下のユーザ装置ＵＥに通知する。
【００４７】
基地局ｅＮＢ−Ａと、それに隣接する基地局ｅＮＢ−Ｂが存在する場合における基地局ｅＮＢ−Ａに着目した場合の動作例を図８を参照して説明する。
【００４８】
図８では、基地局ｅＮＢ−Ａは、上記例２に基づき、（ａ）に示すビットマップ情報の１に示すサブフレーム（ＭＢＳＦＮサブフレーム）を発見信号送信可能無線リソースであると決定したものとする。また、基地局ｅＮＢ−Ｂは、上記例２に基づき、（ｂ）に示すビットマップ情報の１に示すサブフレーム（ＭＢＳＦＮサブフレーム）を発見信号送信可能無線リソースであると決定したものとする。
【００４９】
基地局ｅＮＢ−Ａは、（ｂ）に示すビットマップ情報を基地局ｅＮＢ−Ｂから受信する。そして、基地局ｅＮＢ−Ａは、基地局ｅＮＢ−Ａと基地局ｅＮＢ−Ｂのそれぞれの発見信号送信可能無線リソースのうち、両者に共通する領域（ＡＮＤ領域）を決定し、当該領域に対応する無線リソースの位置を示す情報をユーザ装置ＵＥに制御信号で通知する。
【００５０】
上記の基地局ｅＮＢ−Ｂからの情報転送、基地局ｅＮＢ−Ａにおける共通領域判定、及び基地局ｅＮＢ−Ａにおけるユーザ装置ＵＥへの通知を行う時間単位は特定の単位に限定されない。例えば、サブフレーム単位に行ってもよいし、フレーム単位に行ってもよいし、これら以外の予め定めた時間単位で行ってもよい。
【００５１】
サブフレーム単位で行う場合、サブフレーム毎に図８に示すように基地局ｅＮＢ−Ａと基地局ｅＮＢ−Ｂにおける０、１を調べ、１、１となるサブフレームを共通領域と判定すればよい。
【００５２】
より大きな時間単位（例：フレーム単位）での制御の例を図９を用いて説明する。なお、この例は一例に過ぎない。この例では、基地局ｅＮＢ−Ａは、基地局ｅＮＢ−Ｂからある将来の期間におけるセルＢの発見信号送信可能無線リソースのビットマップ情報Ｃを事前（時刻Ｘ）に受信する。受信する情報には、現時点（時刻Ｘ）から、当該ビットマップ情報Ｃに対応するフレームの開始までの時間Δが含まれている。基地局ｅＮＢ−Ａは、このΔにより、受信したビットマップ情報Ｃに対応するフレームの時間位置を把握でき、当該時間位置における自身のビットマップ情報ＤとのＡＮＤをとることができ、これらの共通領域Ｅを判定する。
【００５３】
また、図８、図９では、ユーザ装置ＵＥに通知する発見信号送信可能無線リソースとして時間領域の無線リソースを決定する例を示しているが、ユーザ装置ＵＥに通知する発見信号送信可能無線リソースとして時間−周波数リソースを決定してもよい。この場合、例えば基地局ｅＮＢ−Ａは、図１０（ａ）に示す斜線領域を発見信号送信可能無線リソースとして決定し、基地局ｅＮＢ−Ｂは、図１０（ｂ）に示す斜線領域を発見信号送信可能無線リソースとして決定し、基地局ｅＮＢ−Ａは、基地局ｅＮＢ−Ｂから図１０（ｂ）に示す斜線領域の無線リソースを示すビットマップ情報を受信し、受信したビットマップ情報と図１０（ａ）に示す斜線領域の無線リソースのビットマップ情報とのＡＮＤをとり、図１０（ｃ）に示す無線リソースを示すビットマップ情報をユーザ装置ＵＥに通知する。
【００５４】
＜変形例＞
上述した例では、隣接する基地局ｅＮＢ間で発見信号送信可能無線リソースを示す情報を交換し、各基地局ｅＮＢにおいて隣接する基地局ｅＮＢとの間の発見信号送信可能無線リソースの共通領域を決定し、ユーザ装置ＵＥに通知することとしたが、隣接基地局ｅＮＢ間で発見信号送信可能無線リソースを示す情報を交換しない手法を用いることも可能である。
【００５５】
例えば図１１に示すように、ユーザ装置ＵＥ１が複数の基地局ｅＮＢ（図１１の例では基地局ｅＮＢ−ＡとｅＮＢ−Ｂ）から、各基地局ｅＮＢ単独で決定された発見信号送信可能無線リソースを示す情報を受信し、ユーザ装置ＵＥ１が、共通領域を検出し、当該共通領域を用いて発見信号の送信を行う。
【００５６】
より具体的な例を、前述した図８を用いて説明する。基地局ｅＮＢ−Ａは、図８（ａ）に示すビットマップ情報の１に示すサブフレームを発見信号送信可能無線リソースであると決定し、当該無線リソースを示すビットマップ情報を含む制御信号を送信し、基地局ｅＮＢ−Ｂは、図８（ｂ）に示すビットマップ情報の１に示すサブフレームを発見信号送信可能無線リソースであると決定し、当該無線リソースを示すビットマップ情報を含む制御信号を送信する。ユーザ装置ＵＥ１は、基地局ｅＮＢ−Ａと基地局ｅＮＢ−Ｂのそれぞれから制御信号を受信し、図８（ａ）、（ｂ）に示す情報が並んだビットマップ情報を取得し、共通領域を発見信号送信可能無線リソースであると決定し、当該共通領域から選択した発見リソースを用いて発見信号の送信を行う。
【００５７】
ここで、制御信号の受信、及び共通領域の検出をサブフレーム単位で行う場合、サブフレーム毎に図８に示すように０、１を調べ、１、１となるサブフレームを共通領域と判定すればよい。
【００５８】
より大きな時間単位（例：フレーム）での制御の例を図１２を用いて説明する。この場合、ユーザ装置ＵＥは、基地局ｅＮＢ−Ａと基地局ｅＮＢ−Ｂのそれぞれから、ある将来の期間（例：フレーム）における発見信号送信可能無線リソースのビットマップ情報を事前に受信する。ユーザ装置ＵＥ１は、同期信号等の基準となる信号を基地局ｅＮＢ−Ａ及び基地局ｅＮＢ−Ｂのそれぞれから受信することで、基地局ｅＮＢ−Ａから受信したビットマップ情報Ｄに対応するフレームの開始時刻と、基地局ｅＮＢ−Ｂから受信したビットマップ情報Ｃに対応するフレームの開始時刻を把握する。例えば、図１２の例では、基地局ｅＮＢ−Ａから受信したビットマップ情報Ｄに対応するフレームは時刻Ｘから開始し、基地局ｅＮＢ−Ｂから受信したビットマップ情報Ｃに対応するフレームは時刻Ｙから開始するものであることを把握する。そして、ユーザ装置ＵＥ１は、同じ時刻に対応するビットマップ情報のビット間でＡＮＤをとることにより、共通領域Ｅを検出する。
【００５９】
＜ユーザ装置ＵＥの構成＞
図１３に、これまでに説明した処理を実行する本実施の形態におけるユーザ装置ＵＥの機能構成図を示す。図１３は、ユーザ装置ＵＥにおける本実施の形態に関わる機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【００６０】
図１３に示すように、ユーザ装置ＵＥは、受信部１０１、発見信号デコーダ１０２、制御信号デコーダ１０３、発見信号送信無線リソース決定部１０４、発見信号生成部１０５、送信部１０６を備える。
【００６１】
受信部１０１は、発見信号、及び基地局ｅＮＢからの制御信号を受信する。発見信号デコーダ１０２は、受信した発見信号を復調、デコードし、発見信号を送信したユーザ装置ＵＥのＩＤを抽出する等の処理を行う。
【００６２】
制御信号デコーダ１０３は、基地局ｅＮＢから受信する制御信号を復調、デコードし、ビットマップ情報を取得する処理を行う。発見信号送信無線リソース決定部１０４は、制御信号デコーダ１０３から受信したビットマップ情報に基づき、発見信号送信無線リソースを決定する。前述したように、基地局ｅＮＢにおいて共通領域を判定する例の場合、発見信号送信無線リソース決定部１０４は、制御信号デコーダ１０３から受信したビットマップ情報に示される１の領域を発見信号送信用の無線リソースとして決定する。また、変形例の場合、発見信号送信無線リソース決定部１０４は、制御信号デコーダ１０３から、接続している基地局ｅＮＢから受信したビットマップ情報と、隣接基地局ｅＮＢ（１つ又は複数）から受信したビットマップ情報を受け取り、前述したようにしてこれらから共通領域を検出し、発見信号送信用の無線リソースとして決定する。
【００６３】
発見信号生成部１０５は、発見信号送信無線リソース決定部１０４により決定された無線リソースから選択した発見リソースでの発見信号生成を行い、送信部１０６から送信する。送信部１０６は、発見信号生成部１０５により生成した発見信号を送信する。
【００６４】
なお、図１３に示す機能区分は一例に過ぎない。例えば、ユーザ装置ＵＥを、所定の無線リソースから発見リソースを選択し、当該発見リソースを用いて発見信号を送信するユーザ装置であって、複数の基地局から、発見信号を送信可能な無線リソースを示す無線リソース情報を受信する手段と、前記複数の基地局から受信した複数の無線リソース情報に基づいて、当該複数の基地局間での発見信号を送信可能な無線リソースの共通領域を検出する手段と、前記共通領域の無線リソースから発見リソースを選択し、当該発見リソースを用いて発見信号を送信する手段とを備えるユーザ装置として構成してもよい。
【００６５】
＜基地局ｅＮＢの構成＞
図１４に、これまでに説明した処理を実行する本実施の形態における基地局ｅＮＢの機能構成図を示す。図１４は、基地局ｅＮＢにおける本実施の形態に関わる機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【００６６】
図１４に示すように、基地局ｅＮＢは、受信部２０１、発見信号送信無線リソース決定部２０２、制御信号生成部２０３、送信部２０４を備える。
【００６７】
前述した例３で説明した動作を行う場合、受信部２０１は、隣接基地局ｅＮＢから無線リソース毎の干渉に関する情報を受信し、発見信号送信無線リソース決定部２０２に渡す。また、受信部２０１は、隣接基地局ｅＮＢ（１つ又は複数）から、当該隣接基地局ｅＮＢ単独で決定した発見信号送信用の無線リソースを示すビットマップ情報を受信し、当該情報を発見信号送信無線リソース決定部２０２に渡す。なお、変形例では、隣接基地局ｅＮＢから、当該隣接基地局ｅＮＢ単独で決定した発見信号送信用の無線リソースを示すビットマップ情報を受信する動作を行わなくてもよい。
【００６８】
発見信号送信無線リソース決定部２０２は、例えば前述した例１〜例３で説明した方法により、発見信号送信用の無線リソースを決定し、当該無線リソースを示すビットマップ情報を生成する。また、当該ビットマップ情報と、受信部２０１から受け取ったビットマップ情報とから、共通領域を検出し、当該共通領域が示す無線リソースをユーザ装置ＵＥに通知すべき発見信号送信用の無線リソースであると決定する。
【００６９】
変形例の場合、発見信号送信無線リソース決定部２０２は、例えば前述した例１〜例３で説明した方法により、発見信号送信用の無線リソースを決定し、当該無線リソースを示すビットマップ情報を生成し、これをユーザ装置ＵＥに通知すべき発見信号送信用の無線リソースであると決定する。
【００７０】
制御信号生成部２０３は、発見信号送信無線リソース決定部２０２により決定された発見信号送信無線リソースを示すビットマップ情報を含む制御信号を生成し、送信部２０４により送信する。送信部２０５は、制御信号の送信を行う。また、送信部２０５は、隣接する基地局ｅＮＢに干渉の情報を送信したり、発見信号送信無線リソース決定部２０２により単独で決定された発見信号送信用の無線リソースを示す情報を隣接する基地局ｅＮＢに送信する処理も行う。
【００７１】
なお、図１４に示す機能区分は一例に過ぎない。例えば、基地局ｅＮＢを、所定の無線リソースから発見リソースを選択し、当該発見リソースを用いて発見信号を送信するユーザ装置と通信する基地局であって、前記基地局により構成されるセルにおいて発見信号を送信可能な無線リソースを決定する手段と、他の基地局から、当該他の基地局により構成されるセルにおいて発見信号を送信可能な無線リソースを示す情報を受信する手段と、前記基地局により構成されるセルにおいて発見信号を送信可能な無線リソースと、前記他の基地局により構成されるセルにおいて発見信号を送信可能な無線リソースとの共通領域を検出する手段と、前記共通領域の無線リソースを示す情報を前記ユーザ装置に送信する手段とを備えることを特徴とする基地局として構成してもよい。
【００７２】
第１の実施の形態では、発見信号送信用の無線リソースを基地局ｅＮＢからユーザ装置ＵＥに通知する形態について説明した。本実施の形態において、ユーザ装置ＵＥは、発見信号送信用の無線リソースとして基地局ｅＮＢから通知された無線リソースを、発見信号を検出する無線リソースとして用いてもよいし、別に決定した無線リソースを発見信号を検出するための無線リソースとして用いてもよい。
【００７３】
（第２の実施の形態：発見信号検出のための無線リソースをＮＷからＵＥに通知）
＜基本例＞
本実施の形態では、第１の実施の形態で説明した方法と同様の方法で、発見信号をユーザ装置ＵＥに検出（受信）させる無線リソースを基地局ｅＮＢからユーザ装置ＵＥに通知する。
【００７４】
本実施の形態における通信システムの構成例は第１の実施の形態と同じであり、図４に示したとおりである。
【００７５】
本実施の形態では、基地局ｅＮＢが、発見信号をユーザ装置ＵＥに検出させる無線リソースの位置を示す情報を制御信号を用いて送信し、制御信号を受信したユーザ装置ＵＥは、制御信号に示される無線リソースにおいて発見信号を検出する動作を行うことを基本とする。
【００７６】
なお、本実施の形態では、発見信号をユーザ装置ＵＥに検出させる無線リソースの位置を指定することとしているが、発見信号をユーザ装置ＵＥに検出させない無線リソースの位置を指定することとしてもよい。検出させない無線リソースは、例えば、本実施の形態において、検出させる無線リソースと決定された無線リソース以外の無線リソースとしてよい。つまり、後述するビットマップ情報における０の部分を検出させない無線リソースと解釈してよい。
【００７７】
発見信号を検出させる無線リソースの位置を示す制御信号は、例えば、ＲＲＣシグナリングで送ってもよいし、ＳＩＢ等の報知情報として送信してもよいし、（Ｅ）ＰＤＣＣＨ等のダイナミックなシグナリングで送信してもよい。また、これら以外のシグナリングで送信してもよい。
【００７８】
発見信号をユーザ装置ＵＥに検出させる無線リソースの位置を示す情報としては、第１の実施の形態と同様に、例えば、所定単位の無線リソースの位置毎に０又は１を割り当てたビットマップ情報を用いることができる。
【００７９】
ビットマップ情報を使用する場合の一例を図５、図１５を参照して説明する。図５に示すように、本例では、基地局ｅＮＢ−Ａ（セルＡ）に存圏するユーザ装置ＵＥ１が、基地局ｅＮＢ−Ａから、発見信号を検出させる無線リソースの位置を示す制御信号を受信し、基地局ｅＮＢ−Ｂ（セルＢ）に存圏するユーザ装置ＵＥ２が、基地局ｅＮＢ−Ｂから、発見信号を検出させる無線リソースの位置を示す制御信号を受信し、それぞれ制御信号により指示された無線リソースにおいて発見信号の検出を行う。
【００８０】
また、本例においても、第１の実施の形態と同様に、基地局ｅＮＢ−Ａと、それに隣接する基地局ｅＮＢ−Ｂは、例えばＸ２インタフェースにより接続され、通信可能であり、基地局ｅＮＢ−Ａから基地局ｅＮＢ−Ｂへは、基地局ｅＮＢ−Ａにおいて発見信号を検出させる無線リソースとして決定された無線リソースの位置の情報が送信され、基地局ｅＮＢ−Ｂから基地局ｅＮＢ−Ａへは、基地局ｅＮＢ−Ｂにおいて発見信号を検出させる無線リソースとして決定された無線リソースの位置の情報が送信される。そして、基地局ｅＮＢ−Ａと基地局ｅＮＢ−Ｂのそれぞれで、基地局ｅＮＢ−Ａにおいて発見信号を検出させる無線リソースとして決定された無線リソースの位置と、基地局ｅＮＢ−Ｂにおいて発見信号を検出させる無線リソースとして決定された無線リソースの位置との重なる共通領域（つまり、ＡＮＤ）を検出し、当該共通領域の無線リソースの位置を制御信号としてユーザ装置ＵＥ１、ＵＥ２に送信する。なお、後述するように、本実施の形態では、共通領域に代えて、ＯＲ（論理和）領域をユーザ装置ＵＥに発見信号を検出させる無線リソースとして決定してもよい。
【００８１】
図１５には、基地局ｅＮＢ−Ａ（基地局ｅＮＢ−Ｂ）からユーザ装置ＵＥ１（ＵＥ２）に送信される制御信号に含まれるビットマップ情報の例が示されている。本例では、発見信号を検出させるサブフレームに１、検出させないサブフレームに０を割り当てたビットマップ情報が基地局ｅＮＢ−Ａ（基地局ｅＮＢ−Ｂ）からユーザ装置ＵＥ１（ＵＥ２）に送信される。
【００８２】
図１５に示すように、セルＡとセルＢでは、同期信号の時間位置が異なり、基地局ｅＮＢ−Ａと基地局ｅＮＢ−Ｂとの間で非同期である。ただし、上述したように、基地局ｅＮＢ−Ａと基地局ｅＮＢ−Ｂで発見信号を検出させる無線リソース位置の情報交換を行い、そのＡＮＤ（又はＯＲ）の情報を送信するので、図１５に示すように、セルＡとセルＢとで、同じ時間領域として、発見信号を検出させる無線リソースの位置が通知される。
【００８３】
なお、ビットマップにより無線リソースの位置を表現することは一例に過ぎず、他の方法で無線リソースの位置を表現してもよい。
【００８４】
＜発見信号をユーザ装置ＵＥに検出させる無線リソースの決定方法＞
本実施の形態において、基地局ｅＮＢが、発見信号をユーザ装置ＵＥに検出させる無線リソースを決定するための方法例は、第１の実施の形態における例１〜例３と同じである。つまり、第１の実施の形態において例１〜例３により決定された無線リソースを、発見信号をユーザ装置ＵＥに検出させる無線リソースとすることができる。
【００８５】
図１６に、本実施の形態における例２を示す。図１６に示すとおり、セルＡにおいてＭＢＳＦＮ用のサブフレームの領域が発見信号をユーザ装置ＵＥに検出される無線リソースとして決定される。
【００８６】
基地局ｅＮＢが、発見信号をユーザ装置ＵＥに検出させる無線リソースを決定するための方法の例として例１〜例３を挙げたが、発見信号をユーザ装置ＵＥに検出させる無線リソースを決定するための方法は例１〜例３に限られない。
【００８７】
また、例１〜例３のうちの２つ又は３つを組み合わせて用いることとしてもよい。例えば、例２によるＭＢＳＦＮ用のサブフレームの中で、例１の判断で、ユーザ装置ＵＥによる発見信号検出に使用しないと決定したサブフレームを除いたものを発見信号検出用の無線リソースとして決定することができる。また、このようにして決定した無線リソースの中で、干渉量が所定値以下の無線リソースのみを発見信号検出用の無線リソースとして決定してもよい。
【００８８】
＜基地局ｅＮＢ間の調整＞
第１の実施の形態と同様に、基地局ｅＮＢは、決定した発見信号検出用の無線リソースを示す情報を隣接基地局ｅＮＢに通知するとともに、隣接基地局ｅＮＢから発見信号検出用の無線リソースを示す情報を受信する。当該基地局ｅＮＢは、これらの無線リソースのうちの重複する部分（共通領域）を、配下のユーザ装置ＵＥに通知する。
【００８９】
基地局ｅＮＢ−Ａと、それに隣接する基地局ｅＮＢ−Ｂが存在する場合における基地局ｅＮＢ−Ａに着目した場合の動作例を図１７を参照して説明する。
【００９０】
図１７では、基地局ｅＮＢ−Ａは、上記例２に基づき、（ａ）に示すビットマップ情報の１に示すサブフレーム（ＭＢＳＦＮサブフレーム）を発見信号検出用の無線リソースであると決定したものとする。また、基地局ｅＮＢ−Ｂは、上記例２に基づき、（ｂ）に示すビットマップ情報の１に示すサブフレーム（ＭＢＳＦＮサブフレーム）を発見信号検出用の無線リソースであると決定したものとする。
【００９１】
基地局ｅＮＢ−Ａは、（ｂ）に示すビットマップ情報を基地局ｅＮＢ−Ｂから受信する。そして、基地局ｅＮＢ−Ａは、基地局ｅＮＢ−Ａと基地局ｅＮＢ−Ｂのそれぞれの発見信号検出用の無線リソースのうち、両者に共通する領域（ＡＮＤ領域）を決定し、当該領域に対応する無線リソースの位置を示す情報をユーザ装置ＵＥに制御信号で通知する。
【００９２】
発見信号検出用の無線リソースの決定においては、基地局ｅＮＢ−Ａと基地局ｅＮＢ−Ｂのそれぞれの発見信号検出用の無線リソースの間で、ＯＲ（論理和）をとり、１となる部分をユーザ装置ＵＥに通知する発見信号検出用の無線リソースと決定してもよい。例えば、基地局ｅＮＢ−Ａ単独で決定した発見信号検出用の無線リソースが０１１１００であり、同じ時間位置における基地局ｅＮＢ−Ｂでの発見信号検出用の無線リソースが００１１１０である場合、ＯＲにより０１１１１０が得られる。ＯＲ（論理和）をとることで決定された無線リソースにおいて検出を行うことにより、より確実に発見信号の検出を行うことが可能になる。
【００９３】
上記の基地局ｅＮＢ−Ｂからの情報転送、基地局ｅＮＢ−Ａにおける共通領域判定（又はＯＲ判定）、及び基地局ｅＮＢ−Ａにおけるユーザ装置ＵＥへの通知を行う時間単位は特定の単位に限定されない。例えば、サブフレーム単位に行ってもよいし、フレーム単位に行ってもよいし、これら以外の予め定めた時間単位で行ってもよい。
【００９４】
サブフレーム単位で行う場合、サブフレーム毎に図１７に示すように基地局ｅＮＢ−Ａと基地局ｅＮＢ−Ｂにおける０、１を調べ、１、１となるサブフレームを共通領域と判定すればよい。また、ＯＲをとる場合は、いずれかが１となる場合に、その部分を発見信号検出用の無線リソースと判定すればよい。
【００９５】
より大きな時間単位（例：フレーム単位）での制御の例は図９を参照して第１の実施の形態において説明したとおりである。また、第１の実施の形態と同様に、時間領域に限らず、時間−周波数リソースを発見信号検出用の無線リソースとして決定してもよい。
【００９６】
＜変形例＞
上述した例では、隣接する基地局ｅＮＢ間で発見信号検出用の無線リソースを示す情報を交換し、各基地局ｅＮＢにおいて隣接する基地局ｅＮＢとの間の発見信号検出用の無線リソースの共通領域又はＯＲ領域を決定し、ユーザ装置ＵＥに通知することとしたが、第１の実施の形態における変形例と同様に、隣接する基地局ｅＮＢ間で発見信号送信可能無線リソースを示す情報を交換しない手法を用いることも可能である。
【００９７】
例えば図１１に示したように、ユーザ装置ＵＥ１が複数の基地局ｅＮＢ（図１１の例では基地局ｅＮＢ−ＡとｅＮＢ−Ｂ）から、各基地局ｅＮＢで決定された発見信号検出用の無線リソースを示す情報を受信し、ユーザ装置ＵＥ１が、共通領域又はＯＲ領域を検出し、当該共通領域又はＯＲ領域を用いて発見信号の検出を行う。
【００９８】
より具体的な例を、前述した図１７を用いて説明する。基地局ｅＮＢ−Ａは、図１７（ａ）に示すビットマップ情報の１に示すサブフレームを発見信号検出用の無線リソースであると決定し、当該無線リソースを示すビットマップ情報を含む制御信号を送信し、基地局ｅＮＢ−Ｂは、図１７（ｂ）に示すビットマップ情報の１に示すサブフレームを発見信号検出用の無線リソースであると決定し、当該無線リソースを示すビットマップ情報を含む制御信号を送信する。ユーザ装置ＵＥ１は、基地局ｅＮＢ−Ａと基地局ｅＮＢ−Ｂのそれぞれから制御信号を受信し、図１７（ａ）、（ｂ）に示す情報が並んだビットマップ情報を取得し、共通領域を発見信号検出用の無線リソースであると決定し、当該共通領域の無線リソースを用いて発見信号の検出を行う。前述のとおり、共通領域でなく、ＯＲ領域を用いてもよい。
【００９９】
ここで、制御信号の受信、及び共通領域の検出をサブフレーム単位で行う場合、サブフレーム毎に図１７に示すように０、１を調べ、１、１となるサブフレームを共通領域と判定すればよい。もしくは、いずれかが１となるサブフレームをＯＲ領域と判定すればよい。
【０１００】
より大きな時間単位（例：フレーム）での制御の例は、第１の実施の形態において図１２を参照して説明した処理と同様である。
【０１０１】
＜ユーザ装置ＵＥの構成＞
図１８に、これまでに説明した処理を実行する本実施の形態におけるユーザ装置ＵＥの機能構成図を示す。図１８は、ユーザ装置ＵＥにおける本実施の形態に関わる機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【０１０２】
図１８に示すように、ユーザ装置ＵＥは、受信部３０１、発見信号デコーダ３０２、制御信号デコーダ３０３、発見信号検出無線リソース決定部３０４、発見信号生成部３０５、送信部３０６を備える。
【０１０３】
受信部３０１は、発見信号、及び基地局ｅＮＢからの制御信号を受信する。発見信号デコーダ３０２は、発見信号検出無線リソース決定部３０４により決定された発見信号検出用の無線リソースにおいて受信した発見信号を復調、デコードし、発見信号を送信したユーザ装置ＵＥのＩＤを抽出する等の処理を行う。
【０１０４】
制御信号デコーダ３０３は、基地局ｅＮＢから受信する制御信号を復調、デコードし、ビットマップ情報を取得する処理を行う。発見信号検出無線リソース決定部３０４は、制御信号デコーダ３０３から受信したビットマップ情報に基づき、発見信号検出無線リソースを決定する。前述したように、基地局ｅＮＢにおいて共通領域又はＯＲ領域を判定する例の場合、発見信号検出無線リソース決定部３０４は、制御信号デコーダ３０３から受信したビットマップ情報に示される１の領域を発見信号検出用の無線リソースとして決定する。また、変形例の場合、発見信号検出無線リソース決定部３０４は、制御信号デコーダ３０３から、接続している基地局ｅＮＢから受信したビットマップ情報と、隣接基地局ｅＮＢ（１つ又は複数）から受信したビットマップ情報を受け取り、前述したようにしてこれらから共通領域又はＯＲ領域を検出し、発見信号検出用の無線リソースとして決定する。
【０１０５】
発見信号生成部３０５は発見信号生成を行い、送信部３０６から送信する。送信部３０６は、発見信号生成部３０５により生成した発見信号を送信する。
【０１０６】
なお、図１８に示す機能区分は一例に過ぎない。例えば、ユーザ装置ＵＥを、所定の無線リソースから発見信号を検出するユーザ装置であって、複数の基地局から、発見信号を検出すべき無線リソースを示す無線リソース情報を受信する手段と、前記複数の基地局から受信した複数の無線リソース情報に基づいて、当該複数の基地局間での発見信号を検出すべき無線リソースの共通領域又は論理和領域を検出する手段と、前記共通領域又は論理和領域の無線リソースから発見信号を検出する手段とを備えることを特徴とするユーザ装置として構成してもよい。
【０１０７】
＜基地局ｅＮＢの構成＞
図１９に、これまでに説明した処理を実行する本実施の形態における基地局ｅＮＢの機能構成図を示す。図１９は、基地局ｅＮＢにおける本実施の形態に関わる機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【０１０８】
図１９に示すように、基地局ｅＮＢは、受信部４０１、発見信号検出無線リソース決定部４０２、制御信号生成部４０３、送信部４０４を備える。
【０１０９】
前述した例３で説明した動作を行う場合、受信部４０１は、隣接基地局ｅＮＢから無線リソース毎の干渉に関する情報を受信し、発見信号検出無線リソース決定部４０２に渡す。また、受信部４０１は、隣接基地局ｅＮＢ（１つ又は複数）から、当該隣接基地局ｅＮＢ単独で決定した発見信号検出用の無線リソースを示すビットマップ情報を受信し、当該情報を発見信号検出無線リソース決定部４０２に渡す。なお、変形例では、隣接基地局ｅＮＢから、当該隣接基地局ｅＮＢ単独で決定した発見信号検出用の無線リソースを示すビットマップ情報を受信する動作を行わなくてもよい。
【０１１０】
発見信号検出無線リソース決定部４０２は、例えば前述した例１〜例３で説明した方法により、発見信号検出用の無線リソースを決定し、当該無線リソースを示すビットマップ情報を生成する。また、当該ビットマップ情報と、受信部４０１から受け取ったビットマップ情報とから、共通領域又はＯＲ領域を検出し、当該共通領域又はＯＲ領域が示す無線リソースをユーザ装置ＵＥに通知すべき発見信号検出用の無線リソースであると決定する。
【０１１１】
変形例の場合、発見信号検出無線リソース決定部４０２は、例えば前述した例１〜例３で説明した方法により、発見信号検出用の無線リソースを決定し、当該無線リソースを示すビットマップ情報を生成し、これをユーザ装置ＵＥに通知すべき発見信号検出用の無線リソースであると決定する。
【０１１２】
制御信号生成部４０３は、発見信号検出無線リソース決定部４０２により決定された発見信号検出用の無線リソースを示すビットマップ情報を含む制御信号を生成し、送信部４０４により送信する。送信部４０５は、制御信号の送信を行う。また、送信部４０５は、隣接する基地局ｅＮＢに干渉の情報を送信したり、発見信号検出無線リソース決定部４０２により単独で決定された発見信号検出用の無線リソースを示す情報を隣接する基地局ｅＮＢに送信する処理も行う。
【０１１３】
なお、図１９に示す機能区分は一例に過ぎない。例えば、基地局ｅＮＢを、所定の無線リソースから発見信号を検出するユーザ装置と通信する基地局であって、前記基地局により構成されるセルにおいて発見信号を検出すべき無線リソースを決定する手段と、他の基地局から、当該他の基地局により構成されるセルにおいて発見信号を検出すべき無線リソースを示す情報を受信する手段と、前記基地局により構成されるセルにおいて発見信号を検出すべき無線リソースと、前記他の基地局により構成されるセルにおいて発見信号を検出すべき無線リソースとの共通領域又は論理和領域を検出する手段と、前記共通領域又は前記論理和領域の無線リソースを示す情報を前記ユーザ装置に送信する手段とを備えることを特徴とする基地局として構成してもよい。
【０１１４】
第２の実施の形態では、発見信号検出用の無線リソースを基地局ｅＮＢからユーザ装置ＵＥに通知する形態について説明した。本実施の形態において、ユーザ装置ＵＥは、発見信号検出用の無線リソースとして基地局ｅＮＢから通知された無線リソースを、発見信号を送信する無線リソースとして用いてもよいし、別に決定した無線リソースを発見信号を送信するための無線リソースとして用いてもよい。
【０１１５】
また、基地局ｅＮＢとユーザ装置ＵＥのそれぞれが、第１の実施の形態における処理を行う機能と、第２の実施の形態における処理を行う機能の両方を備えることとしてもよい。
【０１１６】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような各装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１１７】
ＵＥ  ユーザ装置
ｅＮＢ  基地局
１０１  受信部
１０２  発見信号デコーダ
１０３  制御信号デコーダ
１０４  発見信号送信無線リソース決定部
１０５  発見信号生成部
１０６  送信部
２０１  受信部
２０２  発見信号送信無線リソース決定部
２０３  制御信号生成部
２０４  送信部
３０１  受信部
３０２  発見信号デコーダ
３０３  制御信号デコーダ
３０４  発見信号検出無線リソース決定部
３０５  発見信号生成部
３０６  送信部
４０１  受信部
４０２  発見信号検出無線リソース決定部
４０３  制御信号生成部
４０４  送信部
【図１】
2014229998.tif 000003
【図２】
2014229998.tif 000004
【図３】
2014229998.tif 000005
【図４】
2014229998.tif 000006
【図５】
2014229998.tif 000007
【図６】
2014229998.tif 000008
【図７】
2014229998.tif 000009
【図８】
2014229998.tif 000010
【図９】
2014229998.tif 000011
【図１０】
2014229998.tif 000012
【図１１】
2014229998.tif 000013
【図１２】
2014229998.tif 000014
【図１３】
2014229998.tif 000015
【図１４】
2014229998.tif 000016
【図１５】
2014229998.tif 000017
【図１６】
2014229998.tif 000018
【図１７】
2014229998.tif 000019
【図１８】
2014229998.tif 000020
【図１９】
2014229998.tif 000021